(57)【要約】【課題】既製のハンガーに取り付け可能で、挟持する幅を自由に調整でき、子供用の小さなものから大きなものまで見栄えよく吊すことができ、スカートの生地を傷付けたり挟み跡を付けることなく、スカートのずり落ちを防止することができ、しかも非常に小さく、低コストのスカート吊りクリップを提供する。【解決手段】板状の連結片２と、連結片２の両側にその上端より下部の位置でそれぞれ開閉自在に連設され、内側が滑らかな面である一対の挟持片３，４と、連結片２の中央部から垂下し、下端部に、挟持片３，４のそれぞれの内側に指向する２つの突起６，７が形成された垂直片５と、一方の挟持片３の上端に屈曲自在に連設され、他方の挟持片４の上端部と係合することにより、挟持片３，４のそれぞれの内面が突起６，７側に押圧した状態を保持するロック片８とを一体に備えたスカート吊りクリップ。【選択図】  図１
0003113984.tif 000002
【実用新案登録請求の範囲】
【請求項１】
板状の連結片と、
前記連結片の両側にその上端より下部の位置でそれぞれ開閉自在に連設され、内側が滑らかな面である一対の挟持片と、
前記連結片の中央部から垂下し、下端部に、前記一対の挟持片のそれぞれの内側に指向する２つの突起が形成された垂直片と、
前記一対の挟持片のうちの一方の挟持片の上端に屈曲自在に連設され、他方の挟持片の上端部と係合することにより、前記一対の挟持片のそれぞれの内面が前記突起側に押圧した状態を保持するロック片と
を一体に備えたスカート吊りクリップ。
【請求項２】
前記ロック片には、当該ロック片が連設されている前記一方の挟持片の上端をヒンジ部として前記他方の挟持片の上端部に係合する際に当該他方の挟持片の上端部を押し開いて前記一対の挟持片の下部を閉じる方向に作用させるカム部が形成されている請求項１記載のスカート吊りクリップ。
【請求項３】
前記ロック片の先端には、前記一対の挟持片の係合状態を解除する際の手がかりとなる摘み凸部が形成されている請求項１または２に記載のスカート吊りクリップ。
【考案の詳細な説明】
【技術分野】
【０００１】
本考案は、針金ハンガーなどの既製のハンガーの肩部に取り付けて、クリーニング後のスカートを吊り下げて保管するためのスカート吊りクリップに関する。
【背景技術】
【０００２】
クリーニング後のスカートを客が引き取りに来るまでハンガーで吊しておくとき、スカートの丈の真ん中で二つ折りしてハンガーの横バーに掛ける方法があるが、折り目が付くので、好まれない。スカートに縫い付けられている紐を横バーに通すタイプのハンガーがあるが、ストレートの横バーでは、紐が移動しやすいので、互いに内側に移動したり、斜めにするとずり落ちたりする。
【０００３】
そこで、スカートの胴部を固定するタイプや、クリップで挟持して吊すタイプのハンガーが色々提案されている。
【０００４】
米国では、針金ハンガーの両面に紙製のカバーを貼り付けたものがクリーニング済みの衣料を掛けるものとして用いられることが多い。スカートの場合、図７に示すように、針金ハンガー２０の紙製のカバー２１とスカートＳの胴部に安全ピン２２を刺したり、アルミ製のクリップ２３の爪を突き刺したりして止めていた（図７では安全ピン２２とクリップ２３を片方ずつ使用しているが、実際はいずれか一方を２個使用する。）。
【０００５】
しかしながら、安全ピン２２やクリップ２３では、スカートの生地に突き刺すので生地によっては穴が開いたまま戻らなかったり、繊維が切れて傷ついたりするという問題が生じ、客とのトラブルの原因となる。また、安全ピン２２やクリップ２３は先が針のようにとがっているので、取り扱い時に怪我をすることもあり、また前者ではスカートの胴部に突き刺して先端を鞘部に納めるのに手間も時間も掛かる。
【０００６】
我が国では、針金ハンガーその他の、ズボン掛け部を有するハンガーに取り付けてスカートを吊すようにしたクリップが用いられている（例えば、特許文献１，２参照。）。
【０００７】
また、特許文献３には、スカートがずり落ちないような異形突起を設けた挿入部の外側から、二又状のクリップ部材を圧着するようにしたスカートハンガーが開示されている。
【０００８】
【特許文献１】実開平６−８６６５７号公報
【特許文献２】特開２０００−１０７０１５号公報
【特許文献３】登録実用新案公報第３０４７１１２号公報
【考案の開示】
【考案が解決しようとする課題】
【０００９】
前掲の特許文献１，２に開示されたクリップの場合、スカートが落ちないように吊り下げるためには、クリップの挟持力を大きくしなければならない。そのために、クリップをある程度大きくする必要があった。また、滑り落ちないように挟持片の内側にギザギザを設けたり、爪を設けたりすることにより、スカートの胴部表面との摩擦力を大きくしている。しかし、それでは、スカートの胴部表面に跡が残ることがあり、クリーニングの仕上げ上の体裁が悪くなるし、客からクレームが付く。
【００１０】
特許文献３に開示されたスカートハンガーでは、ハンガー自体を、異形突起を設けた挿入部とクリップ部材とを設けた構成とする必要があり、一般に普及している針金ハンガーやプラスチックハンガーに取り付けることはできない。また、スカートを挟持する２つのクリップの間隔が固定されており、大きいスカートでは両端がたるんでしまうし、子供用の小さなスカートでは挟持できないものも出てくる。その間隔を自由に動かすことができるタイプのハンガーもあるが、高価である。
【００１１】
そこで本願考案は、既製のハンガーに取り付け可能で、挟持する幅を自由に調整でき、子供用の小さなものから大きなものまで見栄えよく吊すことができ、スカートの生地を傷付けたり挟み跡を付けることなく、スカートのずり落ちを防止することができ、しかも非常に小さく、低コストのスカート吊りクリップを提供することを目的とする。
【課題を解決するための手段】
【００１２】
前記課題を解決するため、本考案のスカート吊りクリップは、板状の連結片と、前記連結片の両側にその上端より下部の位置でそれぞれ開閉自在に連設され、内側が滑らかな面である一対の挟持片と、前記連結片の中央部から垂下し、下端部に、前記一対の挟持片のそれぞれの内側に指向する２つの突起が形成された垂直片と、前記一対の挟持片のうちの一方の挟持片の上端に屈曲自在に連設され、他方の挟持片の上端部と係合することにより、前記一対の挟持片のそれぞれの内面が前記突起側に押圧した状態を保持するロック片とを一体に備えたものである。
【００１３】
本考案においては、既製のハンガーの両肩部にそれぞれ１個ずつ２個のスカート吊りクリップを用い、スカートの胴部の両側を挟んでハンガーにスカートを吊る。
【００１４】
まず、スカート吊りクリップのロック片を解放した状態にし、表側と裏側で二重になっているスカートの胴部の一方の端部の内側に垂直片が入るように、またスカートの胴部の表側と裏側にそれぞれ一対の挟持片が出るように、スカート吊りクリップを挿入する。後側の挟持片と垂直片との間には、ハンガーの肩部も一緒に入るようにする。次いで、ロック片を用いて、一対の挟持片の下部を閉じた状態とし、さらにロック片を係合して、挟持片が閉じた状態を保持する。これを、スカートの胴部の他方の端部にも同様に行い、ハンガーの両肩部にスカートの胴部を固定し、吊り下げる。
【００１５】
このように、２個のスカート吊りクリップでスカートをハンガーに吊すことにより、突起がスカートの胴部の内側の生地に垂直に突き当たった状態となり、その反対側であるスカートの胴部の表裏面側を一対の挟持片が押圧している状態となる。
【００１６】
これにより、スカートの胴部の表裏面側の生地を傷めたり締め付け跡が付くことなく、スカートをしっかりとハンガーに固定し、吊り下げることができる。
また、２個のスカート吊りクリップをハンガーのハ字状の両肩部に取り付けるので、スカートの重量がスカート吊りクリップに掛かると、スカートの胴部は水平方向に引っ張られることになり、スカートの胴部にシワが寄ることがない。
前記ロック片に、ロック片が連設されている一方の挟持片の上端をヒンジ部として他方の挟持片の上端部に係合する際に当該他方の挟持片の上端部を押し開いて一対の挟持片の下部を閉じる方向に作用させるカム部を形成することにより、挟持片でスカートの胴部を挟む動作とロック片でロックする動作が一連の操作で行われ、ワンタッチでスカートの胴部を挟持することができる。
前記ロック片の先端に、一対の挟持片の係合状態を解除する際の手がかりとなる摘み凸部を形成することにより、ハンガーからスカートを外すときに、ワンタッチで動作することができる。
【考案の効果】
【００１７】
本考案によれば、板状の連結片と、連結片の両側にその上端より下部の位置でそれぞれ開閉自在に連設された一対の挟持片と、連結片の中央部から垂下し、下端部に、一対の挟持片のそれぞれの内側に指向する２つの突起が形成された垂直片と、一対の挟持片のうちの一方の挟持片の上端に屈曲自在に連設され、他方の挟持片の上端部と係合することにより、一対の挟持片のそれぞれの内面が突起側に押圧した状態を保持するロック片とを一体に備えたことにより、既製のハンガーに取り付け可能で、挟持する幅を自由に調整できるため、子供用の小さなものから大きなものまで見栄えよく吊すことができ、スカートの生地を傷付けたり挟み跡を付けたりすることなく、スカートのずり落ちを防止することができ、しかも、特許文献１のクリップに比べて非常に小さいので、低コストのスカート吊りクリップを提供することができる。
【考案を実施するための最良の形態】
【００１８】
以下、本考案の実施の形態を、図面を用いて説明する。
図１は本考案の実施の形態に係るスカート吊りクリップを示す斜視図、図２はその正面図、図３は挟持片を閉じた状態の正面図である。
【００１９】
これらの図において、スカート吊りクリップ１は、板状の連結片２と、連結片２の両側にその上端より下部の位置でそれぞれ開閉自在に連設された一対の挟持片３，４と、連結片２の中央部から垂下し、下端部に、一対の挟持片３，４のそれぞれの内側に指向する２つの突起６，７が形成された垂直片５と、一方の挟持片３の上端に屈曲自在に連設され、他方の挟持片４の上端部と係合することにより、挟持片３，４のそれぞれの内面が突起６，７側に押圧した状態を保持するロック片８とを有している。連結片２と挟持片３，４との連結部は肉薄部２ａ，２ｂが形成されており、屈曲可能となっている。ロック片８の基端部も肉薄部８ａが形成されており、屈曲可能となっている。
【００２０】
ロック片８の先端部近傍には係合凹部８ｂが形成されており、また挟持片４の先端部近傍には係合凸部４ａが形成されている。ロック片８の先端はロックを解除するときに指で押し上げるための摘み部８ｃが形成されている。さらに、ロック片８には、ロック片８を、肉薄部８ａをヒンジとして閉じていくときに、挟持片４の先端部を押し広げ、肉薄部２ｂをヒンジとして挟持片４の下端部を閉じるように作用させるカム部８ｄが形成されている。そして挟持片３，４の先端部近傍には摘み凸部３ａ，４ｂがあり、このクリップを開くときに指先で摘みやすいようになっており、このクリップを開くことにより、ハンガーとスカートを同時に挟む動作がスムーズにできる。このスカート吊りクリップ１は、ポリプロピレン，ポリエチレン等の熱可塑性合成樹脂で一体成形される。
【００２１】
次に、このスカート吊りクリップ１を用いてスカートを針金ハンガーに吊す手順について、図４〜図６を参照して説明する。図４は本実施の形態のスカート吊りクリップによりスカートを吊した状態の正面図、図５はスカート吊りクリップを指で開き、ハンガーとスカートに差し込んでいる状態の説明図、図６はスカートを挟み付けている状態の断面図である。図中、１０は針金ハンガー、１１，１２は針金ハンガー１０の肩部である。
【００２２】
まず、図１，図２および図５に示すように、スカート吊りクリップ１のロック片８を解放した状態にし、摘み凸部３ａ，４ｂを指で摘み、挟持片３，４を開き、表側と裏側で二重になっているスカートＳの胴部の一方の端部の内側に垂直片５が入るように、またスカートＳの胴部の表側と裏側にそれぞれ一対の挟持片３，４が出るように、スカート吊りクリップ１を挿入する。後側の挟持片３と垂直片５との間には、ハンガーの肩部１１も一緒に入るようにする。次いで、ロック片８を用いて、一対の挟持片３，４の下部を閉じた状態とし、さらにロック片８の係合凹部８ｂと挟持片４の係合凸部４ａを係合して、挟持片３，４が閉じた状態を保持する。すなわち、挟持片３，４はスカートＳの胴部を挟み付けており、解放しようとする反力が生じるため、肉薄部２ａ，２ｂを支点として挟持片３，４の上部を閉じようとする力が働くが、ロック片８が挟持片３，４の上端が閉じることを阻止しているため、挟持片３，４の閉じた状態が保持されることになる。
【００２３】
これを、スカートＳの胴部の他方の端部にも同様に行い、針金ハンガー１０の他方の肩部１２にスカートの胴部を固定する。
【００２４】
このように、２個のスカート吊りクリップ１でスカートを針金ハンガー１０に吊すことにより、突起６，７がスカートＳの胴部の内側の生地に垂直に突き当たった状態となり、その反対側であるスカートＳの胴部の表裏面側を一対の挟持片３，４が押圧している状態となる。
【００２５】
これにより、スカートＳの胴部の表裏面側の生地を傷めたり締め付け跡が付いたりすることなく、スカートＳをしっかりと針金ハンガー１０に固定し、吊り下げることができる。針金ハンガー１０の両肩部１１，１２にスカート吊りクリップ１を保持することにより、スカートＳの２個のスカート吊りクリップ１の間隔が内側に寄ることがなく、スカートＳの胴部が横方向に張った状態を保持することができる。
【００２６】
なお、針金ハンガー１０からスカートＳを外すときは、摘み部８ｃを上方に押し上げると、係合凹部８ｂと係合凸部４ａの係合が外れ、挟持片３，４が解放するので、スカートＳを外すことができる。
【００２７】
以上の説明では、既製のハンガーとして針金ハンガーを用いた例を示したが、肩部を有するハンガーであれば、どのようなタイプでも使用することができる。また、針金ハンガーとして、紙製のカバーを貼ったものでも、使用することができる。
【産業上の利用可能性】
【００２８】
本考案は、既製のハンガーに取り付け可能であるので、挟持する幅を自由に調整でき、子供用の小さなものから大きなものまで見栄えよく吊すことができ、スカートの生地を傷付けたり挟み跡を付けることなく、スカートのずり落ちを防止することができ、しかも非常に小さいので、低コストのスカート吊りクリップとして、利用することができる。
【図面の簡単な説明】
【００２９】
【図１】本考案の実施の形態に係るスカート吊りクリップを示す斜視図である。
【図２】本考案の実施の形態に係るスカート吊りクリップの正面図である。
【図３】本考案の実施の形態に係るスカート吊りクリップの挟持片を閉じた状態の正面図である。
【図４】本実施の形態のスカート吊りクリップによりスカートを吊した状態の正面図である。
【図５】本実施の形態のスカート吊りクリップを指で開き、ハンガーとスカートに差し込んでいる状態の説明図である。
【図６】本実施の形態のスカート吊りクリップによりスカートを挟み付けている状態の断面図である。
【図７】従来の、安全ピンやクリップを用いてスカートを吊した状態を示す正面図である。
【符号の説明】
【００３０】
１  スカート吊りクリップ
２  連結片
２ａ，２ｂ  肉薄部
３，４  挟持片
３ａ  摘み凸部
４ａ  係合凸部
４ｂ  摘み凸部
５  垂直片
６，７  突起
８  ロック片
８ａ  肉薄部
８ｂ  係合凹部
８ｃ  摘み部
８ｄ  カム部
１０  針金ハンガー
１１，１２  肩部
【図１】
0003113984.tif 000003
【図２】
0003113984.tif 000004
【図３】
0003113984.tif 000005
【図４】
0003113984.tif 000006
【図５】
0003113984.tif 000007
【図６】
0003113984.tif 000008
【図７】
0003113984.tif 000009